(57)【要約】【課題】ズームレンズの変倍比の確保、光学性能の確保、及び小型化に有利なズームレンズ及びそれを用いた撮像装置を提供する。【解決手段】物体側から像側に順に、正屈折力の第１レンズ群と、負屈折力の第２レンズ群と、正屈折力の第３レンズ群と、負屈折力の第４レンズ群とを有し、第２レンズ群と第４レンズ群との間に配置された明るさ絞りを有し、第１レンズ群は、負レンズと複数の正レンズを有し、広角端から望遠端への変倍に際して、第１レンズ群と第２レンズ群との間の距離は広がり、第２レンズ群と第３レンズ群との間の距離は狭まり、第３レンズ群と第４レンズ群との間の距離は変化し、所定の条件式を満足する。【選択図】図１
2014145983.tif 000002
【特許請求の範囲】
【請求項１】
物体側から像側に順に、
正屈折力の第１レンズ群と、
負屈折力の第２レンズ群と、
正屈折力の第３レンズ群と、
負屈折力の第４レンズ群とを有し、
前記第２レンズ群と前記第４レンズ群との間に配置された明るさ絞りを有し、
前記第１レンズ群は、負レンズと複数の正レンズを有し、
広角端から望遠端への変倍に際して、
前記第１レンズ群と前記第２レンズ群との間の距離は広がり、
前記第２レンズ群と前記第３レンズ群との間の距離は狭まり、
前記第３レンズ群と前記第４レンズ群との間の距離は変化し、
以下の条件式（１）、（２）を満足することを特徴とするズームレンズ。
２．８５＜ｆt／ＤG1ASt＜７．４０      （１）
０．２＜ＤASIMt／ｆt＜０．４０      （２）
ここで、
ｆtは、望遠端におけるズームレンズ全系の焦点距離、
ＤG1AStは、望遠端における前記第１レンズ群中の最も物体側のレンズの物体側面から前記明るさ絞りまでの光軸上での距離、
ＤASIMtは、望遠端における前記明るさ絞りから前記像までの光軸上での距離、
である。
【請求項２】
物体側から像側に順に、
正屈折力の第１レンズ群と、
負屈折力の第２レンズ群と、
正屈折力の第３レンズ群と、
負屈折力の第４レンズ群とを有し、
前記第２レンズ群と前記第４レンズ群との間に配置された明るさ絞りを有し、
前記第１レンズ群は、負レンズと複数の正レンズを有し、
広角端から望遠端への変倍に際して、
前記第１レンズ群と前記第２レンズ群との間の距離は広がり、
前記第２レンズ群と前記第３レンズ群との間の距離は狭まり、
前記第３レンズ群と前記第４レンズ群との間の距離は変化し、
以下の条件式（１）、（３）を満足することを特徴とするズームレンズ。
２．８５＜ｆt／ＤG1ASt＜７．４０      （１）
０．１６＜ＤG2G3w／ＤG1IMt＜０．６      （３）
ここで、
ｆtは、望遠端におけるズームレンズ全系の焦点距離、
ＤG1AStは、望遠端における前記第１レンズ群中の最も物体側のレンズの物体側面から前記明るさ絞りまでの光軸上での距離、
ＤG2G3wは、広角端における前記第２レンズ群と前記第３レンズ群との間の光軸上での距離、
ＤG1IMtは、望遠端における前記第１レンズ群中の最も物体側のレンズの物体側面から前記像までの光軸上での距離、
である。
【請求項３】
物体側から像側に順に、
正屈折力の第１レンズ群と、
負屈折力の第２レンズ群と、
正屈折力の第３レンズ群と、
負屈折力の第４レンズ群とを有し、
前記第２レンズ群と前記第４レンズ群との間に配置された明るさ絞りを有し、
前記第１レンズ群は、負レンズと複数の正レンズを有し、
広角端から望遠端への変倍に際して、
前記第１レンズ群と前記第２レンズ群との間の距離は広がり、
前記第２レンズ群と前記第３レンズ群との間の距離は狭まり、
前記第３レンズ群と前記第４レンズ群との間の距離は変化し、
以下の条件式（１）、（４）を満足することを特徴とするズームレンズ。
２．８５＜ｆt／ＤG1ASt＜７．４０      （１）
０．０５＜（ＤG1IMt−ＤG1IMw）／ｆt＜０．２２      （４）
ここで、
ｆtは、望遠端におけるズームレンズ全系の焦点距離、
ＤG1AStは、望遠端における前記第１レンズ群中の最も物体側のレンズの物体側面から前記明るさ絞りまでの光軸上での距離、
ＤG1IMtは、望遠端における前記第１レンズ群中の最も物体側のレンズの物体側面から前記像までの光軸上での距離、
ＤG1IMwは、広角端における前記第１レンズ群中の最も物体側のレンズの物体側面から前記像までの光軸上での距離、
である。
【請求項４】
物体側から像側に順に、
正屈折力の第１レンズ群と、
負屈折力の第２レンズ群と、
正屈折力の第３レンズ群と、
負屈折力の第４レンズ群とを有し、
更に前記第４レンズ群よりも像側に配置された正屈折力の像側レンズ群を有し、
前記第２レンズ群と前記第４レンズ群との間に配置された明るさ絞りを有し、
前記第１レンズ群は、負レンズと複数の正レンズを有し、
広角端から望遠端への変倍に際して、
前記第１レンズ群と前記第２レンズ群との間の距離は広がり、
前記第２レンズ群と前記第３レンズ群との間の距離は狭まり、
前記第３レンズ群と前記第４レンズ群との間の距離は変化し、
前記第４レンズ群と前記像側レンズ群との間の距離は変化し、
前記第１レンズ群は、広角端での位置よりも望遠端において物体側に位置し、
前記像側レンズ群は、広角端での位置よりも望遠端において像側に位置し、
以下の条件式（１）を満足することを特徴とするズームレンズ。
２．８５＜ｆt／ＤG1ASt＜７．４０      （１）
ここで、
ｆtは、望遠端におけるズームレンズ全系の焦点距離、
ＤG1AStは、望遠端における前記第１レンズ群中の最も物体側のレンズの物体側面から前記明るさ絞りまでの光軸上での距離、
である。
【請求項５】
物体側から像側に順に、
正屈折力の第１レンズ群と、
負屈折力の第２レンズ群と、
正屈折力の第３レンズ群と、
負屈折力の第４レンズ群とを有し、
前記第２レンズ群と前記第４レンズ群との間に配置された明るさ絞りを有し、
前記第１レンズ群は、負レンズと複数の正レンズを有し、
広角端から望遠端への変倍に際して、
前記第１レンズ群と前記第２レンズ群との間の距離は広がり、
前記第２レンズ群と前記第３レンズ群との間の距離は狭まり、
前記第３レンズ群と前記第４レンズ群との間の距離は変化し、
以下の条件式（１）、（５）を満足することを特徴とするズームレンズ。
２．８５＜ｆt／ＤG1ASt＜７．４０      （１）
２０＜ｆt／ｆw＜５０      （５）
ここで、
ｆtは、望遠端におけるズームレンズ全系の焦点距離、
ＤG1AStは、望遠端における前記第１レンズ群中の最も物体側のレンズの物体側面から前記明るさ絞りまでの光軸上での距離、
ｆwは、広角端におけるズームレンズ全系の焦点距離、
である。
【請求項６】
以下の条件式（３）を満足することを特徴とする請求項１、３、４、５の何れか１項に記載のズームレンズ。
０．１６＜ＤG2G3w／ＤG1IMt＜０．６      （３）
ここで、
ＤG2G3wは、広角端における前記第２レンズ群と前記第３レンズ群との間の光軸上での距離、
ＤG1IMtは、望遠端における前記第１レンズ群中の最も物体側のレンズの物体側面から前記像までの光軸上での距離、
である。
【請求項７】
以下の条件式（４）を満足することを特徴とする請求項１、４、５の何れか１項に記載のズームレンズ。
０．０５＜（ＤG1IMt−ＤG1IMw）／ｆt＜０．２２      （４）
ここで、
ＤG1IMtは、望遠端における前記第１レンズ群中の最も物体側のレンズの物体側面から前記像までの光軸上での距離、
ＤG1IMwは、広角端における前記第１レンズ群中の最も物体側のレンズの物体側面から前記像までの光軸上での距離、
である。
【請求項８】
前記第４レンズ群よりも像側に配置された正屈折力の像側レンズ群を有し、
広角端から望遠端への変倍に際して、
前記第４レンズ群と前記像側レンズ群との間の距離は変化し、
前記第１レンズ群は、広角端での位置よりも望遠端において物体側に位置し、
前記像側レンズ群は、広角端での位置よりも望遠端において像側に位置することを特徴とする請求項１又は請求項５に記載のズームレンズ。
【請求項９】
以下の条件式（５）を満足することを特徴とする請求項１に記載のズームレンズ。
２０＜ｆt／ｆw＜５０      （５）
ここで、
ｆwは、広角端におけるズームレンズ全系の焦点距離、
である。
【請求項１０】
前記第２レンズ群が以下の条件式（６）を満足することを特徴とする請求項１から請求項９の何れか１項に記載のズームレンズ。
−０．０６＜ｆG2／ｆt＜−０．０３      （６）
ここで、
ｆG2は、前記第２レンズ群の焦点距離、
である。
【請求項１１】
以下の条件式（５−１）、（７）を満足することを特徴とする請求項５又は請求項９に記載のズームレンズ。
２３＜ｆt／ｆw＜５０      （５−１）
０．０１０＜ＤG1G223／ｆw＜０．０７      （７）
ここで、
ＤG1G223は、焦点距離がｆt／２３よりも短くなる任意の状態における前記第１レンズ群と前記第２レンズ群との間の距離、
である。
【請求項１２】
以下の条件式（５−２）、（８）を満足することを特徴とする請求項６に記載のズームレンズ。
２８＜ｆt／ｆw＜５０      （５−２）
０．０１０＜ＤG1G228／fw＜０．０７      （８）
ここで、
ＤG1G228は、焦点距離がｆt／２８よりも短い任意の状態における前記第１レンズ群と前記第２レンズ群との間の距離、
である。
【請求項１３】
前記第１レンズ群は、広角端での位置よりも望遠端において物体側に位置し、
前記第２レンズ群は、広角端での位置よりも望遠端において像側に位置し、
前記第３レンズ群は、広角端での位置よりも望遠端において物体側に位置し、
前記第４レンズ群は、広角端での位置よりも望遠端において物体側に位置することを特徴とする請求項１から請求項１２の何れか１項に記載のズームレンズ。
【請求項１４】
前記明るさ絞りが前記第３レンズ群の物体側直前に配置され、
前記第３レンズ群と前記明るさ絞りは一体で光軸に沿って移動し、広角端での位置よりも望遠端において物体側に位置することを特徴とする請求項１から請求項１３の何れか１項に記載のズームレンズ。
【請求項１５】
前記第２レンズ群が多くとも３枚のレンズからなることを特徴とする請求項１から請求項１４の何れか１項に記載のズームレンズ。
【請求項１６】
前記第３レンズ群が多くとも４枚のレンズからなることを特徴とする請求項１から請求項１５の何れか１項に記載のズームレンズ。
【請求項１７】
前記第４レンズ群が１つのレンズ成分からなることを特徴とする請求項１から請求項１６の何れか１項に記載のズームレンズ。
ここで、
レンズ成分は、光路において物体側面と像側面の２つの面のみが空気と接するレンズブロックである。
【請求項１８】
前記第４レンズ群の像側に正屈折力の像側レンズ群を配置し、
広角端から望遠端への変倍に際して、
前記第４レンズ群と前記像側レンズ群との間の距離は変化し、
前記ズームレンズが５群ズームレンズであることを特徴とする請求項１から請求項１８の何れか１項に記載のズームレンズ。
【請求項１９】
前記像側レンズ群が１つのレンズ成分からなることを特徴とする請求項４、８、１９の何れか１項に記載のズームレンズ。
ここで、
レンズ成分は、光路において物体側面と像側面の２つの面のみが空気と接するレンズブロックである。
【請求項２０】
ズームレンズと、
前記ズームレンズの像側に配置され、前記ズームレンズにより形成された像を電気信号に変換する撮像素子とを有し、
前記ズームレンズが請求項１から請求項１９の何れか１項に記載のズームレンズであることを特徴とする撮像装置。
【請求項２１】
前記第１レンズ群の物体側に、光軸に垂直な方向に退避する複数枚のバリア部材を持つレンズバリア部を有することを特徴とする請求項２０に記載の撮像装置。
【発明の詳細な説明】
【技術分野】
【０００１】
本発明は、ズームレンズ及びそれを用いた撮像装置に関するものである。
【背景技術】
【０００２】
従来より、高変倍比を持つズームレンズとして、特許文献１に開示されるズームレンズ及びそれを有する撮像装置が知られている。
【先行技術文献】
【特許文献】
【０００３】
【特許文献１】特開２０１２−０８３４７２号公報
【発明の概要】
【発明が解決しようとする課題】
【０００４】
しかしながら、高変倍比を持つズームレンズを持つ撮像装置は、ズームレンズの全長が長いと、撮像装置の取扱時等において装置の周囲の物品等にぶつけてしまいやすくなる。
また、望遠端でのズームレンズ全長が長くなると、変倍動作による撮像装置全体の重量バランスの変動も大きくなりやすくなる。例えば、撮像装置を三脚等に固定したときの安定性を全変倍域において良好とすることが難しくなる。  
さらにまた、第１レンズ群の有効径が大きいと、例えば、内蔵式のレンズバリアを用いる場合などにおいて、装置の大型化を招く。
【０００５】
本発明は、上記に鑑みてなされたものであって、変倍比の確保、光学性能の確保、小型化に有利なズームレンズを提供することを目的とする。更には、本発明は、そのようなズームレンズを用いた撮像装置を提供することを目的とする。
【課題を解決するための手段】
【０００６】
上述した課題を解決し、目的を達成するために、本発明に係るズームレンズの基本構成は、
物体側から像側に順に、
正屈折力の第１レンズ群と、
負屈折力の第２レンズ群と、
正屈折力の第３レンズ群と、
負屈折力の第４レンズ群とを有し、
第２レンズ群と第４レンズ群との間に配置された明るさ絞りを有し、
第１レンズ群は、負レンズと複数の正レンズを有し、
広角端から望遠端への変倍に際して、
第１レンズ群と第２レンズ群との間の距離は広がり、
第２レンズ群と第３レンズ群との間の距離は狭まり、
第３レンズ群と第４レンズ群との間の距離は変化し、
以下の条件式（１）を満足する。
２．８５＜ｆt／ＤG1ASt＜７．４０      （１）
ここで、
ｆtは、望遠端におけるズームレンズ全系の焦点距離、
ＤG1AStは、望遠端における第１レンズ群中の最も物体側のレンズの物体側面から明るさ絞りまでの光軸上での距離、
である。
【０００７】
第１の側面のズームレンズは、この基本構成において、以下の条件式（２）を満足する。
０．２＜ＤASIMt／ｆt＜０．４０      （２）
ここで、
ＤASIMtは、望遠端における明るさ絞りから像までの光軸上での距離、
である。
【０００８】
第２の側面のズームレンズは、上記基本構成において、以下の条件式（３）を満足する。
０．１６＜ＤG2G3w／ＤG1IMt＜０．６    （３）
ここで、
ＤG2G3wは、広角端における第２レンズ群と第３レンズ群との間の光軸上での距離、
ＤG1IMtは、望遠端における第１レンズ群中の最も物体側のレンズの物体側面から像までの光軸上での距離、
である。
【０００９】
第３の側面のズームレンズは、上記基本構成において、以下の条件式（４）を満足する。
０．０５＜（ＤG1IMt−ＤG1IMw）／ｆt＜０．２２      （４）
ここで、
ＤG1IMtは、望遠端における第１レンズ群中の最も物体側のレンズの物体側面から像までの光軸上での距離、
ＤG1IMwは、広角端における第１レンズ群中の最も物体側のレンズの物体側面から像までの光軸上での距離、
である。
【００１０】
第４の側面のズームレンズは、上記基本構成において、
第４レンズ群よりも像側に配置された正屈折力の像側レンズ群を有し、
第４レンズ群と像側レンズ群との間の距離は変化し、
第１レンズ群は、広角端での位置よりも望遠端において物体側に位置し、
像側レンズ群は、広角端での位置よりも望遠端において像側に位置する。
【００１１】
第５の側面のズームレンズは、上記基本構成において、以下の条件式（５）を満足する。
２０＜ｆt／ｆw＜５０      （５）
ここで、
ｆwは、広角端におけるズームレンズ全系の焦点距離、
である。
【００１２】
本発明に係る撮像装置は、
ズームレンズと、
ズームレンズの像側に配置され、ズームレンズにより形成された像を電気信号に変換する撮像素子とを有し、
ズームレンズが前述の何れかのズームレンズである。
【発明の効果】
【００１３】
本発明にかかるズームレンズ及びそれを用いた撮像装置は、ズームレンズの変倍比の確保、光学性能の確保、及び小型化に有利である、という効果を奏する。
【図面の簡単な説明】
【００１４】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の無限遠物点合焦時の広角端（ａ）、中間状態（ｂ）、望遠端（ｃ）でのレンズ断面図である。
【図３】本発明のズームレンズの実施例３の無限遠物点合焦時の広角端（ａ）、中間状態（ｂ）、望遠端（ｃ）でのレンズ断面図である。
【図４】本発明のズームレンズの実施例４の無限遠物点合焦時の広角端（ａ）、中間状態（ｂ）、望遠端（ｃ）でのレンズ断面図である。
【図５】本発明のズームレンズの実施例５の無限遠物点合焦時の広角端（ａ）、中間状態（ｂ）、望遠端（ｃ）でのレンズ断面図である。
【図６】実施例１の無限遠物点合焦時の収差図である。
【図７】実施例２の無限遠物点合焦時の収差図である。
【図８】実施例３の無限遠物点合焦時の収差図である。
【図９】実施例４の無限遠物点合焦時の収差図である。
【図１０】実施例５の無限遠物点合焦時の収差図である。
【図１１】本発明によるズームレンズを組み込んだデジタルカメラの断面図であって、図１１（ａ）は沈胴収納時の断面図、図１１（ｂ）は広角端での断面図である。
【図１２】撮像装置としてのデジタルカメラの外観を示す前方斜視図である。
【図１３】撮像装置としてのデジタルカメラの外観を示す後方斜視図である。
【図１４】デジタルカメラの主要部の内部回路を示すブロック図である。
【発明を実施するための形態】
【００１５】
以下に、本発明にかかるズームレンズ及びそれを用いた撮像装置の実施形態を図面に基づいて詳細に説明する。なお、この実施形態によりこの発明が限定されるものではない。
まず、実施例の説明に先立ち、本実施形態のズームレンズの作用効果について説明する。
本実施形態は、前述のズームレンズの基本構成を備え、さらに第１から第５の側面の構成等を備えるものである。
本実施形態のズームレンズでは、４群以上のズームレンズ構成とすることで、変倍作用の確保に有利としている。第４レンズ群を負屈折力としているため、第４レンズ群が像を拡大している。つまり、像面の大きさに対してズームレンズ全体を小さくする機能を持つ。高変倍比を確保しつつも全長の短縮化をしている。
【００１６】
本実施形態のズームレンズでは、第１レンズ群が３枚以上のレンズで構成されており、望遠端での色収差の補正と広角端での像面湾曲の補正の両立を行っている。第１レンズ群の正屈折力も高められ、望遠端での全長の短縮化にも繋げている。
また、明るさ絞りがズームレンズ全体の中心付近に配置されることで、収差補正と小型化の両立を行いやすくしている。
【００１７】
本実施形態のズームレンズは前述の条件式（１）を満足している。
条件式（１）は、望遠端での焦点距離と、望遠端での明るさ絞り位置の好ましい関係を特定するものである。
本実施形態のズームレンズでは、条件式（１）の下限を下回らないようにして第１レンズ群の径方向の小型化を行い、望遠端での２次スベクトルのコマ収差の低減を行っている。また、条件式（１）の上限を上回らないようにして望遠端における１次スペクトルの倍率色収差の低減も行っている。
【００１８】
本実施形態のズームレンズは前述の条件式（２）を満足している。
条件式（２）は、明るさ絞りから像までの距離と望遠端での焦点距離の好ましい関係を特定するものである。
本実施形態のズームレンズでは、条件式（２）の下限を下回らないようにして望遠端における１次スペクトルの倍率色収差補正を行っている。また、条件式（２）の上限を上回らないようにしてズームレンズ全長の短縮化と望遠端での球面収差の補正を行っている。
【００１９】
本実施形態のズームレンズは前述の条件式（３）を満足している。
条件式（３）は、広角端での第２、第３レンズ群の間の距離と望遠端でのズームレンズ全長の好ましい関係を特定するものである。
本実施形態のズームレンズでは、条件式（３）の下限を下回らないようにして広角端での第２、第３レンズ群間隔を確保し、変倍比の確保と広角端における像面湾曲の補正を行っている。また、条件式（３）の上限を上回らないようにして広角端から望遠端にかけての像面湾曲の変動を抑えている。
【００２０】
本実施形態のズームレンズは前述の条件式（４）を満足している。
条件式（４）は、像に対する第１レンズ群の移動量と望遠端でのズームレンズ全系の焦点距離の好ましい関係を特定するものである。
本実施形態のズームレンズでは、条件式（４）の下限を下回らないようにして広角端でのズームレンズ全長を確保し、広角端における像面湾曲を抑えている。また、条件式（４）の上限を上回らないようにして第１レンズ群の移動量を抑え、広角端から望遠端にかけての像面湾曲の変動を抑えている。
【００２１】
本実施形態のズームレンズでは、負屈折力の第４レンズ群の像側に正屈折力の像側レンズ群（第５レンズ群）を配置して、射出瞳を像面から遠ざける構成としている。
第４レンズ群と像側レンズ群との間の距離は変化し、第１レンズ群は、広角端での位置よりも望遠端において物体側に位置し、像側レンズ群は、広角端での位置よりも望遠端において像側に位置する。
第１レンズ群が移動することで第２レンズ群の増倍機能を確保している。また、像側レンズ群が移動して増倍作用を行うことで、他のレンズ群の変倍負担を小さくしている。変倍時移動するレンズ群の移動量を抑えられ、変倍に伴う像面湾曲と球面収差の変動を抑えている。
【００２２】
本実施形態のズームレンズは前述の条件式（５）を満足している。
条件式（５）は、好ましい変倍比を特定するものである。
本実施形態のズームレンズでは、条件式（５）の下限を下回らないようにすることで画角変化を十分に確保したズームレンズとしている。特に、超望遠領域撮影を可能としている。また、条件式（５）の上限を上回らないようにすることで、望遠端での全長の小型化や望遠端での明るさの確保を行いやすくしている。
【００２３】
本実施形態のズームレンズは、第２レンズ群が以下の条件式（６）を満足している。
−０．０６＜ｆG2／ｆt＜−０．０３      （６）
ここで、
ｆG2は、第２レンズ群の焦点距離、
である。
【００２４】
条件式（６）は望遠端での焦点距離に対する第２レンズ群の好ましい焦点距離を特定するものである。
本実施形態のズームレンズは、条件式（６）の下限を下回らないようにして、広角端から望遠端にかけての像面湾曲の変動を抑えている。また、条件式（６）の上限を上回らないようにして、広角端での像面湾曲を抑えている。
【００２５】
本実施形態のズームレンズは、以下の条件式（５−１）、（７）を満足している。
２３＜ｆt／ｆw＜５０      （５−１）
０．０１０＜ＤG1G223／ｆw＜０．０７      （７）
ここで、
ＤG1G223は、焦点距離がｆt／２３よりも短くなる任意の状態における第１レンズ群と第２レンズ群との間の距離、
である。
【００２６】
条件式（５−１）を満足するように変倍比が２３を上回る構成において、第１レンズ群と第２レンズ群の間の距離が条件式（７）を満足する。
条件式（７）の下限を下回らないようにして広角端から望遠端にかけての像面湾曲の変動を抑えている。条件式（７）の上限を上回らないようにして広角端での像面湾曲を抑えている。
【００２７】
後述の実施例１と実施例４のような変倍比が２８を上回る実施形態は、以下の条件式（５−２）、（８）を満足している。
２８＜ｆt／ｆw＜５０      （５−２）
０．０１０＜ＤG1G228／ｆw＜０．０７      （８）
ここで、
ＤG1G228は、焦点距離がｆt／２８よりも短い任意の状態における第１レンズ群と第２レンズ群との間の距離、
である。
【００２８】
条件式（５−２）を満足するように変倍比が２８を上回る構成において、第１レンズ群と第２レンズ群の間の距離が条件式（８）を満足する。
条件式（８）の下限を下回らないようにして広角端から望遠端にかけての像面湾曲の変動を抑えている。条件式（８）の上限を上回らないようにして広角端での像面湾曲を抑えている。
【００２９】
本実施形態のズームレンズにおいては、
第１レンズ群は、広角端での位置よりも望遠端において物体側に位置し、
第２レンズ群は、広角端での位置よりも望遠端において像側に位置し、
第３レンズ群は、広角端での位置よりも望遠端において物体側に位置し、
第４レンズ群は、広角端での位置よりも望遠端において物体側に位置する。
これにより、各レンズ群の移動量を小さくでき、レンズ群移動を行う駆動機構（鏡筒など）を短くしやすくなり、高変倍比化と沈胴収納時の薄型化を両立させている。
【００３０】
本実施形態のズームレンズは、明るさ絞りが第３レンズ群の物体側直前に配置され、第３レンズ群と明るさ絞りは一体で光軸に沿って移動し、広角端での位置よりも望遠端において物体側に位置する。
第３レンズ群の径方向の小型化、第１、第２レンズ群の小型化、ズームレンズの射出瞳位置の調整を行っている。
【００３１】
本実施形態のズームレンズは、第２レンズ群が多くとも３枚のレンズからなる。これにより、低コスト化、沈胴収納時の小型化に有利な構成となっている。
また、第３レンズ群が多くとも４枚のレンズからなる。したがって、低コスト化、沈胴収納時の小型化に有利な構成としている。
【００３２】
また、第４レンズ群が１つのレンズ成分からなる。
ここで、
レンズ成分は、光路において物体側面と像側面の２つの面のみが空気と接するレンズブロックである。
これにより、低コスト化、沈胴収納時の小型化に有利な構成となっている。
【００３３】
本実施形態のズームレンズは、第４レンズ群の像側に正屈折力の像側レンズ群を配置し、広角端から望遠端への変倍に際して、第４レンズ群と像側レンズ群との間の距離が変化する５群ズームレンズである。
像側レンズ群を配置することで射出瞳を像から遠ざけている。電子撮像素子への光線の入射角を抑え、色シェーディングの発生を抑制している。
【００３４】
本実施形態のズームレンズにおいて、像側レンズ群が１つのレンズ成分からなる。
したがって、低コスト化、沈胴収納時の小型化に有利な構成としている。
【００３５】
本実施形態の撮像装置は、
ズームレンズと、
ズームレンズの像側に配置され、ズームレンズにより形成された像を電気信号に変換する撮像素子とを有し、
ズームレンズが前述の何れかのズームレンズとしている。
これにより、変倍比の確保、光学性能の確保、小型化が可能な撮像装置となる。
【００３６】
本実施形態の撮像装置は、更には、第１レンズ群の物体側に、光軸に垂直な方向に退避する複数枚のバリア部材を持つレンズバリア部を有する。
第１レンズ群の有効径を小さくしているため、光軸に垂直な方向に退避（直線移動でも回転移動でもよい）するレンズバリア部を配置して、携帯性と操作性を高めている。
【００３７】
上述の各構成は複数を同時に満足することがより好ましい。
各条件式について、以下のように下限値、上限値の一方又は双方を特定することでその効果をより確実にできる。
【００３８】
条件式（１）については、下限値を２．９、更には３．０とすることがより好ましい。条件式（１）の上限値は５．５、更には４．０とすることがより好ましい。
条件式（２）については、下限値を０．２３、更には０．２６とすることがより好ましい。条件式（２）の上限値は０．３８、更には０．３７とすることがより好ましい。
条件式（３）については、下限値を０．２０、更には０．２２、更には０．２３とすることがより好ましい。条件式（３）の上限値は０．４５、更には０．３１とすることがより好ましい。
条件式（４）については、下限値を０．０８、更には０．１０とすることがより好ましい。条件式（４）の上限値は０．２１、更には０．２０とすることがより好ましい。
条件式（５）については、下限値を２３、更には２８とすることがより好ましい。条件式（５）の上限値は４０、更には３５とすることがより好ましい。
条件式（６）については、下限値を−０．０５７とすることがより好ましい。条件式（６）の上限値は−０．０４とすることがより好ましい。
条件式（７）については、下限値を０．０３、更には０．０５とすることがより好ましい。条件式（７）の上限値は０．０７１とすることがより好ましい。
条件式（８）については、下限値を０．０３、更には０．０５、更には０．０６とすることがより好ましい。条件式（８）の上限値は０．０７１とすることがより好ましい。
【実施例】
【００３９】
以下、本発明のズームレンズの実施例１〜５について説明する。実施例１〜５の無限遠物点合焦時の広角端（ａ）、中間焦点距離状態（ｂ）、望遠端（ｃ）のレンズ断面図をそれぞれ図１〜図５に示す。図１〜図５中、第１レンズ群はＧ１、第２レンズ群はＧ２、第３レンズ群はＧ３、第４レンズ群はＧ４、第５レンズ群はＧ５、明るさ（開口）絞りはＳ、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【００４０】
また、各実施例において、明るさ絞りＳは第３レンズ群Ｇ３と一体で物体側へ移動する。数値データはいずれも無限遠の被写体に合焦した状態でのデータである。各数値の長さの単位はｍｍ、角度の単位は°（度）である。フォーカシングはいずれの実施例も第４レンズ群Ｇ４の移動により行う。さらに、ズームデータは広角端（広角）、中間焦点距離状態（中間）、望遠端（望遠）での値である。
【００４１】
実施例１のズームレンズは、図１に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００４２】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。
【００４３】
物体側から順に、第１レンズ群Ｇ１は、物体側に凸面を向けた負メニスカスレンズＬ１と、両凸正レンズＬ２と、物体側に凸面を向けた正メニスカスレンズＬ３と、からなる。ここで、負メニスカスレンズＬ１と両凸正レンズＬ２は互いに接合されている。第２レンズ群Ｇ２は、物体側に凸面を向けた負メニスカスレンズＬ４と、両凹負レンズＬ５と、両凸正レンズＬ６と、からなる。第３レンズ群Ｇ３は、両凸正レンズＬ７と、物体側に凸面を向けた負メニスカスレンズＬ８と、両凸正レンズＬ９と、からなる。ここで、負メニスカスレンズＬ８と両凸正レンズＬ９は互いに接合されている。第４レンズ群Ｇ４は、両凹負レンズＬ１０からなる。第５レンズ群Ｇ５は、両凸正レンズＬ１１からなる。
【００４４】
非球面は、両凹負レンズＬ５の両面と、両凸正レンズＬ７の両面と、両凸正レンズＬ１１の両面と、の６面に設けられている。
【００４５】
実施例２のズームレンズは、図２に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００４６】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。
【００４７】
物体側から順に、第１レンズ群Ｇ１は、物体側に凸面を向けた負メニスカスレンズＬ１と、両凸正レンズＬ２と、物体側に凸面を向けた正メニスカスレンズＬ３と、からなる。第２レンズ群Ｇ２は、物体側に凸面を向けた負メニスカスレンズＬ４と、両凹負レンズＬ５と、両凸正レンズＬ６と、からなる。第３レンズ群Ｇ３は、両凸正レンズＬ７と、両凸正レンズＬ８と、両凹負レンズＬ９と、両凸正レンズＬ１０と、からなる。ここで、両凸正レンズＬ８と両凹負レンズＬ９は互いに接合されている。第４レンズ群Ｇ４は、両凹負レンズＬ１１からなる。第５レンズ群Ｇ５は、両凸正レンズＬ１２からなる。
【００４８】
非球面は、両凹負レンズＬ５の物体側の面と、両凸正レンズＬ６の像側の面と、両凸正レンズＬ７の両面と、両凸正レンズＬ１２の像側の面と、の５面に設けられている。
【００４９】
実施例３のズームレンズは、図３に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００５０】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。
【００５１】
物体側から順に、第１レンズ群Ｇ１は、物体側に凸面を向けた負メニスカスレンズＬ１と、物体側に凸面を向けた平凸正レンズＬ２と、物体側に凸面を向けた正メニスカスレンズＬ３と、からなる。ここで、負メニスカスレンズＬ１と平凸正レンズＬ２は互いに接合されている。第２レンズ群Ｇ２は、物体側に凸面を向けた負メニスカスレンズＬ４と、両凹負レンズＬ５と、両凸正レンズＬ６と、からなる。第３レンズ群Ｇ３は、両凸正レンズＬ７と、物体側に凸面を向けた負メニスカスレンズＬ８と、両凸正レンズＬ９と、からなる。ここで、負メニスカスレンズＬ８と両凸正レンズＬ９は互いに接合されている。第４レンズ群Ｇ４は、両凹負レンズＬ１０からなる。第５レンズ群Ｇ５は、両凸正レンズＬ１１からなる。
【００５２】
非球面は、両凹負レンズＬ５の両面と、両凸正レンズＬ７の両面と、両凸正レンズＬ１１の両面と、の６面に設けられている。
【００５３】
実施例４のズームレンズは、図４に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００５４】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は物体側へ移動する。第５レンズ群Ｇ５は像側へ移動する。
【００５５】
物体側から順に、第１レンズ群Ｇ１は、物体側に凸面を向けた負メニスカスレンズＬ１と、両凸正レンズＬ２と、物体側に凸面を向けた正メニスカスレンズＬ３と、からなる。ここで、負メニスカスレンズＬ１と両凸正レンズＬ２は互いに接合されている。第２レンズ群Ｇ２は、物体側に凸面を向けた負メニスカスレンズＬ４と、両凹負レンズＬ５と、両凸正レンズＬ６と、からなる。第３レンズ群Ｇ３は、両凸正レンズＬ７と、物体側に凸面を向けた負メニスカスレンズＬ８と、両凸正レンズＬ９と、からなる。ここで、負メニスカスレンズＬ８と両凸正レンズＬ９は互いに接合されている。第４レンズ群Ｇ４は、両凹負レンズＬ１０からなる。第５レンズ群Ｇ５は、両凸正レンズＬ１１からなる。
【００５６】
非球面は、両凹負レンズＬ５の両面と、両凸正レンズＬ７の両面と、両凸正レンズＬ１１の両面と、の６面に設けられている。
【００５７】
実施例５のズームレンズは、図５に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、負の屈折力の第４レンズ群Ｇ４と、正の屈折力の第５レンズ群Ｇ５と、を配置している。
【００５８】
広角端から望遠端への変倍に際して、第１レンズ群Ｇ１は物体側へ移動する。第２レンズ群Ｇ２は像側へ移動する。第３レンズ群Ｇ３は物体側へ移動する。第４レンズ群Ｇ４は像側へ移動した後に物体側へ移動する。第５レンズ群Ｇ５は像側へ移動する。
【００５９】
物体側から順に、第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。第２レンズ群Ｇ２は、物体側に凸面を向けた負メニスカスレンズＬ４と、両凹負レンズＬ５と、両凸正レンズＬ６と、からなる。第３レンズ群Ｇ３は、両凸正レンズＬ７と、物体側に凸面を向けた負メニスカスレンズＬ８と、両凸正レンズＬ９と、からなる。ここで、負メニスカスレンズＬ８と両凸正レンズＬ９は互いに接合されている。第４レンズ群Ｇ４は、両凹負レンズＬ１０からなる。第５レンズ群Ｇ５は、両凸正レンズＬ１１からなる。
【００６０】
非球面は、両凹負レンズＬ５の両面と、両凸正レンズＬ７の両面と、両凸正レンズＬ１１の両面と、の６面に設けられている。
【００６１】
以下に、上記各実施例の数値データを示す。記号は上記の外、ｆｂはバックフォーカス、ｆ１、ｆ２…は各レンズ群の焦点距離、ＦＮＯはＦナンバー、ωは半画角、ｒは各レンズ面の曲率半径、ｄは各レンズ面間の間隔、ｎｄは各レンズのｄ線の屈折率、νｄは各レンズのｄ線におけるアッベ数である。後述するレンズ全長は、レンズ最前面からレンズ最終面までの距離にバックフォーカスを加えたものである。ｆｂ（バックフォーカス）は、レンズ最終面から近軸像面までの距離を空気換算して表したものである。
【００６２】
また、各非球面形状は、各実施例における各非球面係数を用いて、以下の式（Ｉ）で表される。
但し、光軸方向の座標をＺ、光軸と垂直な方向の座標をＹとする。
Ｚ＝（Ｙ２／ｒ）／［１＋｛１−（１＋ｋ）・（Ｙ／ｒ）２｝１／２］＋Ａ４×Ｙ４＋Ａ６×Ｙ６＋Ａ８×Ｙ８＋Ａ１０×Ｙ１０      （Ｉ）
ここで、
ｒは近軸曲率半径、
ｋは円錐係数、
Ａ4、Ａ6、Ａ8、Ａ10はそれぞれ４次、６次、８次、１０次の非球面係数である。
また、非球面係数において、「ｅ−ｎ」（ｎは整数）は、「１０−ｎ」を示している。
【００６３】
数値実施例１
単位  ｍｍ
面データ
面番号       r          d         nd        νd   
物面       ∞         ∞  
1      38.551      0.80     1.91082    35.25
2      22.771      3.30     1.49700    81.54
3    -313.298      0.10
4      20.122      2.42     1.49700    81.54
5      70.096      可変
6     200.000      0.30     1.91082    35.25
7       6.188      2.85
8*    -10.241      0.40     1.74320    49.34
9*     18.541      0.10
10      13.845      1.55     1.94595    17.98
11     -54.863      可変  
12(絞り)  ∞        0.66
13*      7.931      2.14     1.58313    59.38
14*    -20.215      1.83
15     439.840      0.40     1.91082    35.25
16       6.873      2.15     1.49700    81.54
17      -8.668      可変  
18     -16.437      0.50     1.53110    55.91
19      15.006      可変  
20*    241.479      2.15     1.53110    55.91
21*     -8.401      可変  
22        ∞        0.30     1.51633    64.14
23        ∞        0.40
24        ∞        0.50     1.51633    64.14
25        ∞        0.53
像面（撮像面）∞
非球面データ
第８面 
K=0.000
A4=3.07582e-04,A6=7.40085e-07,A8=-2.43096e-07  
第９面 
K=0.000
A4=3.13493e-04,A6=-6.29781e-06  
第１３面 
K=0.000
A4=-1.86188e-04,A6=1.33104e-06,A8=-6.54846e-08,A10=1.60686e-09  
第１４面 
K=0.000
A4=4.20720e-04,A6=-4.71232e-07  
第２０面 
K=0.000
A4=-4.57271e-04  
第２１面 
K=0.000
A4=2.57842e-05,A6=2.01462e-06,A8=-3.08194e-08  
ズームデータ
広角端      中間    望遠端
焦点距離           4.55     23.21    131.12
ＦＮＯ．           2.87      4.96      6.70
画角２ω          90.10     18.16      3.38
fb (in air)        7.62      5.80      2.44
全長 (in air)     54.77     70.02     78.15
d5               0.30     15.18     27.32  
d11             18.77      7.44      0.54  
d17              3.28      8.14      8.78  
d19              3.16     11.81     17.42  
d21              6.17      4.34      0.98  
群焦点距離
f1=40.41   f2=-5.79   f3=10.62   f4=-14.69   f5=15.33   
【００６４】
数値実施例２
単位  ｍｍ
面データ
面番号       r          d         nd        νd   
物面       ∞         ∞  
1      33.567      0.80     1.90366    31.32
2      22.034      0.10
3      21.741      3.27     1.49700    81.54
4    -192.340      0.10
5      20.250      2.12     1.49700    81.54
6      59.103      可変
7      58.251      0.40     2.00100    29.13
8       7.218      2.61
9*     -8.657      0.50     1.72903    54.04
10      14.174      0.10
11      12.028      1.54     2.10300    18.05
12*   -439.898      可変
13(絞り)  ∞        1.00
14*      5.858      2.23     1.59201    67.02
15*    -23.759      0.21
16      12.131      1.65     1.57135    52.95
17     -22.447      0.30     1.91082    35.25
18       4.526      0.14
19       4.919      1.96     1.53110    55.91
20      -9.008      可変
21     -39.250      0.40     1.72916    54.68
22       6.719      可変
23     106.839      2.00     1.72903    54.04
24*    -11.187      可変
25        ∞        0.30     1.51633    64.14
26        ∞        0.40
27        ∞        0.50     1.51633    64.14
28        ∞        0.53
像面（撮像面）∞
非球面データ
第９面 
K=0.000
A4=1.57145e-04,A6=4.11375e-06  
第１２面 
K=0.000
A4=1.76543e-04,A6=2.42062e-06  
第１４面 
K=0.000
A4=-3.04061e-04,A6=2.75626e-06  
第１５面 
K=0.000
A4=6.78578e-04,A6=2.81900e-06  
第２４面 
K=0.000
A4=2.19744e-04,A6=-2.04406e-06  
ズームデータ
広角端      中間    望遠端
焦点距離           4.55     21.86    104.86
ＦＮＯ．           3.03      5.09      6.64
画角２ω          87.86     19.20      4.16
fb (in air)        6.25      4.53      2.45
全長 (in air)     50.16     56.33     65.72
d6               0.25     11.03     22.62  
d12             18.54      5.70      0.10  
d20              1.92      5.00      4.45  
d22              1.77      8.63     14.67  
d24              4.83      3.05      1.00  
群焦点距離
f1=36.27   f2=-5.90   f3=8.18   f4=-7.84   f5=13.99   
【００６５】
数値実施例３
単位  ｍｍ
面データ
面番号       r          d         nd        νd   
物面       ∞         ∞  
1      31.456      0.70     1.91082    35.25
2      18.784      2.56     1.49700    81.54
3        ∞        0.15
4      17.827      2.11     1.49700    81.54
5      83.811      可変  
6     200.000      0.30     1.83481    42.71
7       5.069      2.80
8*     -9.371      0.40     1.74156    49.21
9*     23.371      0.10
10      15.463      1.25     1.94595    17.98
11     -50.853      可変
12(絞り)  ∞        0.66
13*      6.841      1.87     1.58313    59.38
14*    -14.028      1.55
15     108.155      0.40     1.91082    35.25
16       5.565      2.01     1.49700    81.54
17      -8.603      可変
18     -23.868      0.50     1.53110    55.91
19      10.707      可変
20*   5407.914      1.90     1.53110    55.91
21*     -8.677      可変
22        ∞        0.30     1.51633    64.14
23        ∞        0.40
24        ∞        0.50     1.51633    64.14
25        ∞        0.53
像面（撮像面）∞
非球面データ
第８面 
K=0.000
A4=4.01038e-04,A6=-8.36025e-06,A8=-4.92569e-07  
第９面 
K=0.000
A4=2.35077e-04,A6=-1.57539e-05  
第１３面 
K=0.000
A4=-4.86266e-04,A6=5.75719e-06,A8=-1.27642e-06  
第１４面 
K=0.000
A4=4.56002e-04,A6=1.29630e-06,A8=-1.18507e-06  
第２０面 
K=0.000
A4=-2.91616e-04  
第２１面 
K=0.000
A4=1.80978e-04,A6=-3.29481e-09,A8=-1.02926e-08  
ズームデータ
広角端      中間    望遠端
焦点距離           4.41     20.82    101.70
ＦＮＯ．           3.20      5.35      6.90
画角２ω          91.70     20.12      4.32
fb (in air)        7.33      5.52      2.57
全長 (in air)     48.41     59.46     67.90
d5               0.31     11.93     22.70  
d11             15.60      5.53      0.54  
d17              1.47      6.12      6.33  
d19              4.45     11.10     16.51  
d21              5.87      4.06      1.10  
群焦点距離
f1=34.64   f2=-5.07   f3=8.99   f4=-13.85   f5=16.31   
【００６６】
数値実施例４
単位  ｍｍ
面データ
面番号       r          d         nd        νd   
物面       ∞         ∞  
1      33.993      0.70     1.91082    35.25
2      20.432      2.55     1.49700    81.54
3   -1195.431      0.15
4      19.471      2.10     1.49700    81.54
5      96.944      可変  
6   51750.697      0.32     1.91082    35.25
7       6.034      2.70
8*    -10.572      0.40     1.74156    49.21
9*     18.207      0.10
10      14.599      1.45     1.94595    17.98
11     -42.442      可変
12(絞り)  ∞        0.66
13*      6.123      1.87     1.58313    59.38
14*    -17.594      1.25
15     281.206      0.40     1.91082    35.25
16       4.500      2.10     1.58313    59.38
17     -12.416      可変
18     -30.599      0.40     1.53110    55.91
19       8.315      可変
20*   5060.788      2.05     1.53110    55.91
21*     -8.850      可変
22        ∞        0.30     1.51633    64.14
23        ∞        0.40
24        ∞        0.50     1.51633    64.14
25        ∞        0.53 
像面（撮像面）∞
非球面データ
第８面 
K=0.000
A4=6.95097e-05,A6=2.13361e-06  
第９面 
K=0.000
A4=1.32456e-06,A6=2.15510e-06  
第１３面 
K=0.000
A4=-3.46827e-04,A6=-2.72804e-06,A8=-5.85149e-09  
第１４面 
K=0.000
A4=4.71774e-04,A6=-4.72805e-06,A8=1.84083e-07  
第２０面 
K=0.000
A4=-2.64793e-04  
第２１面 
K=0.000
A4=1.05141e-04,A6=1.89001e-07,A8=-6.95062e-09  
ズームデータ
広角端      中間    望遠端
焦点距離           4.62     23.76    132.20
ＦＮＯ．           3.36      5.49      7.44
画角２ω          89.90     19.80      3.36
fb (in air)        7.16      5.70      1.85
全長 (in air)     55.30     63.33     71.16
d5               0.31     13.29     24.64  
d11             20.93      7.05      0.54  
d17              2.07      6.88      6.31  
d19              5.64     11.22     18.63  
d21              5.71      4.25      0.38  
群焦点距離
f1=36.60   f2=-5.70   f3=9.61   f4=-12.27   f5=16.64   
【００６７】
数値実施例５
単位  ｍｍ
面データ
面番号       r          d         nd        νd   
物面       ∞         ∞  
1      26.783      0.90     1.63493    23.90
2      16.925      0.90
3      28.000      1.80     1.53110    55.91
4      84.566      0.15
5      15.407      2.50     1.49700    81.54
6     338.274      可変  
7   12168.970      0.30     1.83481    42.71
8       5.368      2.60
9*    -11.502      0.40     1.74156    49.21
10*     20.854      0.10
11      12.658      1.25     1.94595    17.98
12    -178.364      可変
13(絞り)  ∞        0.66
14*      6.126      1.87     1.58313    59.38
15*    -25.571      1.30
16      37.078      0.40     1.91082    35.25
17       4.697      2.31     1.48749    70.23
18     -12.414      可変
19     -18.971      0.50     1.53110    55.91
20      17.585      可変
21*    157.227      1.90     1.53110    55.91
22*     -9.000      可変
23        ∞        0.30     1.51633    64.14
24        ∞        0.40
25        ∞        0.50     1.51633    64.14
26        ∞        0.53
像面（撮像面）∞
非球面データ
第９面 
K=0.000
A4=7.14419e-04,A6=-9.92786e-06,A8=-9.58646e-08  
第１０面 
K=0.000
A4=6.15831e-04,A6=-1.93202e-05  
第１４面 
K=0.000
A4=-3.75974e-04,A6=8.77096e-07,A8=-5.33360e-07,A10=-1.13725e-08  
第１５面 
K=0.000
A4=3.00622e-04,A6=5.43055e-07,A8=-5.32866e-07  
第２１面 
K=0.000
A4=-5.97082e-04  
第２２面 
K=0.000
A4=-2.46536e-04,A6=3.88957e-06,A8=-9.51803e-08  
ズームデータ
広角端      中間    望遠端
焦点距離           4.49     21.05    103.77
ＦＮＯ．           2.89      5.00      7.02
画角２ω          90.32     20.20      4.24
fb (in air)        9.15      5.42      2.45
全長 (in air)     52.51     60.73     69.74
d6               0.31     10.56     20.81  
d12             18.50      6.71      0.54  
d18              2.11     12.44     15.55  
d20              2.61      5.76     10.55  
d22              7.69      3.96      0.99  
各群焦点距離
f1=33.30   f2=-5.62   f3=10.73   f4=-17.10   f5=16.09   
【００６８】
以上の実施例１〜５の無限遠物点合焦時の収差図をそれぞれ図６〜図１０に示す。これらの収差図において、（ａ）〜（ｄ）は広角端、（ｅ）〜（ｈ）は中間焦点距離状態、（ｉ）〜（ｌ）は望遠端における、球面収差（ＳＡ）、非点収差（ＡＳ）、歪曲収差（ＤＴ）、倍率色収差（ＣＣ）を示す。各図中、“ω”は半画角を示す。
【００６９】
次に、各実施例における条件式の値を掲げる。
条件式                実施例１  実施例２  実施例３  実施例４  実施例５
条件式(1)                 3.304     3.061     3.026     3.708     3.218
条件式(2)                 0.295     0.303     0.34      0.271     0.364
条件式(3)                 0.248     0.296     0.239     0.302     0.274
条件式(4)                 0.178     0.148     0.192     0.12      0.166
条件式(5),(5-1),(5-2)    28.818    23.042    23.067    28.615    23.107
条件式(6)                -0.044    -0.056    -0.05     -0.043    -0.054
条件式(7)
広角端時ＤG1G223          0.066     0.055     0.07      0.067     0.069
条件式(8)
広角端時ＤG1G228          0.066     なし      なし      0.067     なし
実施例１  実施例２  実施例３  実施例４  実施例５
ｆt                     131.117   104.859   101.699   132.200   103.767 
ＤG1ASt                  39.679    34.259    33.612    35.651    32.251 
ＤASIMt                  38.743    31.741    34.557    35.772    37.758 
ＤG2G3w                  19.430    19.540    16.260    21.590    19.160 
ＤG1IMt                  78.422    66.000    68.169    71.423    70.009 
ＤG1IMw                  55.046    50.464    48.680    55.571    52.776 
ｆw                       4.550     4.551     4.409     4.620     4.491 
ｆG2                     -5.792    -5.904    -5.074    -5.697    -5.619 
広角端時ＤG1G223          0.300     0.250     0.310     0.310     0.310 
広角端時ＤG1G228          0.300     なし      なし      0.310     なし
【００７０】
（デジタルカメラ）
さて、以上のような本発明のズームレンズで物体像を形成しその像をＣＣＤ等の電子撮像素子に受光させて撮影を行う電子撮像装置、とりわけデジタルカメラやビデオカメラ等に用いることができる。以下に、その実施形態を例示する。
【００７１】
図１１は、本発明によるズームレンズを組み込んだデジタルカメラの断面図であって、図１１（ａ）は沈胴収納時の断面図、（ｂ）は広角端での断面図である。
ズームレンズの沈胴収納にあたっては、第１レンズ群Ｇ１は方向Ｄ１に沿って、第２レンズ群Ｇ２は方向Ｄ２に沿って、第４レンズ群Ｇ４は方向Ｄ４に沿って、第５レンズ群Ｇ５は方向Ｄ５に沿って、それぞれの光軸に沿って撮像素子側（像面Ｉ側）へ移動する。第３レンズ群Ｇ３と明るさ絞りＳは他のレンズ群の光軸ＡＸから逸れて、方向Ｄ３に沿ってボディ５１内へ偏心移動して沈胴する。
これにより、第１レンズ群Ｇ１の小径化を可能とした高変倍ズームレンズとなっている。
【００７２】
第１レンズ群Ｇ１の前方（物体側）には鏡筒５２に内蔵されたレンズバリア部６０が配置される。
レンズバリア部６０は、複数枚のバリア部材として、鏡筒５２に固定された固定部６１と、光軸ＡＸに直交する面方向において移動可能な可動部６２、６３と、を備える。可動部６２、６３は、ズームレンズの不使用時には固定部６１より内側へ移動して光路を閉じ、ズームレンズの使用時には有効光路外に退避する。
レンズバリア部６０の具体的な構成の一例としては、本出願人による特開２０１２−２０３１３５号公報などに記載のバリアを用いることが可能である。
【００７３】
本発明のズームレンズにおいては、ＲＧＢそれぞれについて電気的なディストーション補正を行い、ディストーションと倍率の色収差を電気的に補正している。
【００７４】
図１２、図１３は、ズームレンズを撮影光学系４１に組み込んだ、本発明に係る撮像装置の構成の概念図を示す。図１２は撮像装置としてのデジタルカメラ４０の外観を示す前方斜視図、図１３は同後方斜視図である。
【００７５】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【００７６】
（内部回路構成）
図１４は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部等で構成される。
【００７７】
図１４に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【００７８】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【００７９】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【００８０】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【００８１】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【００８２】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３において指定された画質パラメータに基づいて歪曲収差補正を含む各種画像処理を電気的に行う回路である。
【００８３】
記録媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【００８４】
表示部２０は、液晶表示モニター４７などにおいて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【産業上の利用可能性】
【００８５】
以上のように、本発明にかかるズームレンズ及びそれを用いた撮像装置は、ズームレンズの変倍比の確保、光学性能の確保、及び小型化に有用である。
【符号の説明】
【００８６】
Ｇ１…第１レンズ群
Ｇ２…第２レンズ群
Ｇ３…第３レンズ群
Ｇ４…第４レンズ群
Ｇ５…第５レンズ群
Ｓ…明るさ絞り
Ｆ…光量低減フィルター
Ｃ…カバーガラス
Ｉ…像面
１…コンパクトカメラ
２…撮像レンズ系
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
５１…ボディ
５２…鏡筒
６０…レンズバリア部
６１…固定部
６２、６３…可動部
【図１】
2014145983.tif 000003
【図２】
2014145983.tif 000004
【図３】
2014145983.tif 000005
【図４】
2014145983.tif 000006
【図５】
2014145983.tif 000007
【図６】
2014145983.tif 000008
【図７】
2014145983.tif 000009
【図８】
2014145983.tif 000010
【図９】
2014145983.tif 000011
【図１０】
2014145983.tif 000012
【図１１】
2014145983.tif 000013
【図１２】
2014145983.tif 000014
【図１３】
2014145983.tif 000015
【図１４】
2014145983.tif 000016